(57)【要約】【課題】ドアの閉動作に必要な力を軽減することができるドアロック機構及び洗濯機を提供する。【解決手段】洗濯乾燥機は、ラッチが設けられたドアと、ラッチが挿入される開口部７２が形成され、開口部７２に挿入されたラッチの係合爪部６３が内面に係合する箱部を有するロック部７０とを備えるドアロック機構が搭載されている。開口部７２の周縁部分には、ラッチを開口部７２へ導くガイド面７３を設け、このガイド面７３を曲面とする。ガイド面７３は、ラッチの開口部７２への挿入方向に対して傾斜して設ける。ドアのラッチは、開口部７２の挿入方向に対して交差する方向へ枢動可能に設けられ、挿入方向へ立設された柱部に、挿入方向に交差する方向へ係合爪部６３を突設した構成とし、コイルバネにより係合爪部６３の突出方向へ付勢する。【選択図】図７
2014050468.tif 000002
【特許請求の範囲】
【請求項１】
ドアに設けられたラッチと、該ラッチが挿入される開口が形成され、該開口に挿入された前記ラッチが係合する係合部を有し、該係合部の前記ラッチとの係合により前記ドアを固定する固定体とを備えるドアロック機構において、
前記開口の周縁部分に設けられ、前記ドアが閉じる際に前記ラッチに接触し、該ラッチを前記開口へ導くガイド面を備え、
該ガイド面が曲面にしてあること
を特徴とするドアロック機構。
【請求項２】
前記ガイド面は、凹曲面にしてあること
を特徴とする請求項１に記載のドアロック機構。
【請求項３】
前記ラッチは、前記ガイド面との接触部分を曲面にしてあること
を特徴とする請求項１又は請求項２に記載のドアロック機構。
【請求項４】
前記ガイド面は、前記ラッチの挿入方向に対して傾斜して設けてあること
を特徴とする請求項１から請求項３までのいずれか１つに記載のドアロック機構。
【請求項５】
前記ラッチは、前記開口への挿入方向に対して交差する方向へ枢動可能に設けられ、
前記ラッチに設けられ、前記挿入方向に対して交差する方向に突出し、前記係合部に係合する係合突部と、
前記ドアに設けられ、前記ラッチを前記係合突部の突出方向へ付勢する付勢手段と
を備えること
を特徴とする請求項１から請求項４までのいずれか１つに記載のドアロック機構。
【請求項６】
前記ドアに設けられ、前記ラッチを前記付勢手段の付勢に抗して枢動させる取手部を備えること
を特徴とする請求項５に記載のドアロック機構。
【請求項７】
洗濯物を収容する洗濯槽への投入口に開閉可能に設けられたドアと、
該ドアを開閉不可能にロックする、請求項１から請求項６のいずれか１つに記載のドアロック機構と
を備えることを特徴とする洗濯機。
【発明の詳細な説明】
【技術分野】
【０００１】
本発明は、筐体に設けられたドアをロックするドアロック機構、及びこれを備えた洗濯機に関する。
【背景技術】
【０００２】
洗濯機は、洗濯物を収容するドラム及び水槽、ドラムを回転するモータ、水槽への給水機構及び水槽からの排水機構、並びに、これらを動作させる電気的装置等を備え、これらが筐体内に収容されている（例えば特許文献１参照）。洗濯機の筐体には、水槽内へ洗濯物を投入するための投入口が形成されると共に、洗濯中には投入口を閉塞するためのドアが開閉可能に設けられる。また洗濯機は、洗濯中にドアが開閉されることがないよう、ドアをロックするドアロック機構を備える。
【０００３】
従来の洗濯機のドアロック機構には、例えばドアに設けられたラッチが筐体などの開口へ挿入され、開口内にてラッチが係合することでドアがロックされる構成のものがある。ラッチは、筐体との係合位置及び係合解除位置の間で枢動可能にドアに設けられると共に、バネなどによって係合位置へ付勢されている。ユーザがドアの閉動作を行う場合、ラッチは、筐体の開口の周縁部分に接触し、この状態でバネなどによる付勢に抗して枢動され、開口内へ挿入されて筐体に係合する。ドアを開く際には、ラッチと筐体との係合を解除した後にユーザは開動作を行う。
【先行技術文献】
【特許文献】
【０００４】
【特許文献１】特開２０１１−２５１１５３号公報
【発明の概要】
【発明が解決しようとする課題】
【０００５】
ラッチが挿入される開口の周縁部分には、ラッチを開口内へ導くガイド面が形成されている。ドアの閉動作時には、ラッチがガイド面に接触して開口内へ挿入される。よってユーザはドアを閉じるために、ラッチとガイド面との接触による抵抗に抗して力を加える必要があるという問題がある。例えばラッチの形状を変更するなどの方法によってドアの閉動作に必要な力を軽減することも可能であるが、ラッチの強度を低下させる虞があるため、形状変更には限界がある。
【０００６】
本発明は、斯かる事情に鑑みてなされたものであって、その目的とするところは、ドアの閉動作に必要な力を軽減することができるドアロック機構、及びこの機構を備えた洗濯機を提供することにある。
【課題を解決するための手段】
【０００７】
本発明に係るドアロック機構は、ドアに設けられたラッチと、該ラッチが挿入される開口が形成され、該開口に挿入された前記ラッチが係合する係合部を有し、該係合部の前記ラッチとの係合により前記ドアを固定する固定体とを備えるドアロック機構において、前記開口の周縁部分に設けられ、前記ドアが閉じる際に前記ラッチに接触し、該ラッチを前記開口へ導くガイド面を備え、該ガイド面が曲面にしてあることを特徴とする。
【０００８】
また、本発明に係るドアロック機構は、前記ガイド面が、凹曲面にしてあることを特徴とする。
【０００９】
また、本発明に係るドアロック機構は、前記ラッチが、前記ガイド面との接触部分を曲面にしてあることを特徴とする。
【００１０】
また、本発明に係るドアロック機構は、前記ガイド面が、前記ラッチの挿入方向に対して傾斜して設けてあることを特徴とする。
【００１１】
また、本発明に係るドアロック機構は、前記ラッチが、前記開口への挿入方向に対して交差する方向へ枢動可能に設けられ、前記ラッチに設けられ、前記挿入方向に対して交差する方向に突出し、前記係合部に係合する係合突部と、前記ドアに設けられ、前記ラッチを前記係合突部の突出方向へ付勢する付勢手段とを備えることを特徴とする。
【００１２】
また、本発明に係るドアロック機構は、前記ドアに設けられ、前記ラッチを前記付勢手段の付勢に抗して枢動させる取手部を備えることを特徴とする。
【００１３】
また、本発明に係る洗濯機は、洗濯物を収容する洗濯槽への投入口に開閉可能に設けられたドアと、該ドアを開閉不可能にロックする上述のドアロック機構とを備えることを特徴とする。
【００１４】
本発明においては、開口の周縁部分に設けられるガイド面を曲面とする。これにより、ラッチとガイド面との接触面積を低減することができるため、ドア閉動作時に生じるラッチ及びガイド面の接触抵抗を低減することができる。よって、ユーザによるドアの閉動作時に必要な力を軽減できる。なおガイド面を凹曲面とすることが好適であるが、これに限るものではない。
【００１５】
また、本発明においては、ラッチのガイド面との接触部分を曲面とする。これによりラッチとガイド面との接触面積をより低減することができ、ドアの閉動作時に必要な力をより軽減できる。
【００１６】
また、本発明においては、ガイド面をラッチの挿入方向に対して傾斜して設けることにより、ラッチの開口への挿入を容易化する。また、枢動可能としたラッチに係合突部を設けると共に、ラッチを係合突部の突出方向へ付勢する構成とすることにより、開口に挿入されたラッチが筐体の係合部に係合してドアを確実にロックすることができる。また、ラッチを付勢に抗して枢動させる取手部をドアに設けることにより、ユーザが容易にドアを開くことが可能となる。
【００１７】
また、本発明においては、上述の構成のドアロック機構を洗濯機に搭載する。これにより、洗濯の際にユーザがドアの閉動作を行う為に必要な力を軽減できる。
【発明の効果】
【００１８】
本発明による場合は、ガイド面を曲面としてラッチとの接触面積を低減し、ドア閉動作時に生じるラッチ及びガイド面の接触抵抗を低減することにより、ドアの閉動作時に必要な力を軽減でき、ユーザはドアの閉動作を円滑に行うことができる。
【図面の簡単な説明】
【００１９】
【図１】実施の形態に係る洗濯乾燥機の外観を略示する斜視図である。
【図２】実施の形態に係る洗濯乾燥機の内部構成を略示する縦断面図である。
【図３】洗濯乾燥機のドアロック機構の構成を示す斜視図である。
【図４】ドアの背面の構成を示す一部拡大図である。
【図５】ドアの背面の構成を示す一部拡大斜視図である。
【図６】ロック部の開口の構成を示す一部拡大平面図である。
【図７】ロック部の開口の構成を示す断面図である。
【図８】比較のための断面図である。
【図９】ドアのロックを説明するための説明図である。
【図１０】ドアのロックを説明するための説明図である。
【図１１】ドアのロックを説明するための説明図である。
【図１２】ドアのロックを説明するための説明図である。
【図１３】変形例に係る洗濯乾燥機の係合爪部の構成を示す断面図である。
【発明を実施するための形態】
【００２０】
以下、本発明をその実施の形態を示す図面に基づき具体的に説明する。図１は、実施の形態に係る洗濯乾燥機の外観を略示する斜視図である。また図２は、実施の形態に係る洗濯乾燥機の内部構成を略示する縦断面図である。本実施の形態に係る洗濯乾燥機は、外装を構成する外箱１の内部に水槽２及び回転ドラム３を備えている。水槽２は、一側に開口２０を備える大径の有底円筒体であり、外箱１の底面に立設された複数本の支持脚２１（１本のみ図示）により、開口２０の側を上とし、水平面に対して軸心を傾けた傾斜姿勢を保って弾性的に支持されている。
【００２１】
水槽２の内部には、回転ドラム３が収容されている。回転ドラム３は、水槽２よりもやや小径の有底円筒体であり、一側の開口３０を水槽２の開口２０の内側に臨ませ、水槽２の底部中央に固設されたドラムモータ４の出力軸４０の端部に連結してあり、ドラムモータ４の駆動により、水槽２の内部にて回転するように構成されている。
【００２２】
回転ドラム３は、開口３０の外側に周設された流体バランサ３１を備えている。流体バランサ３１は、回転ドラム３が回転した場合に、この回転に伴う振動を吸収して緩和する作用をなす。ドラムモータ４は、水槽２の底板の外側に連設されたモータ室４１の内部に構成してある。ドラムモータ４の出力軸４０は、水槽２の底板を液密に貫通し、該底板の中央に突出しており、回転ドラム３は、この突出端部に連結してある。回転ドラム３の周壁には、多数の小孔３２が全面に亘って貫通形成されており、また、回転ドラム３の内面には、軸長方向に延びる複数のバッフル３３が周方向に等配をなして突設されている。なお、図２には、図面の煩雑化を避けるべく、小孔３２の一部と１つのバッフル３３のみとを図示している。
【００２３】
外箱１の前面（図２の左側面）には、水槽２の開口２０を臨む位置に、ドア１０によって開閉可能に洗濯物Ａの投入口１１が開設されており、投入口１１と水槽２の開口２０との間は、ベローズ１２によって液密に封止されている。ドア１０には、ユーザが開閉操作を行う際に把持するための取手部６９が設けられている。ドア１０は、ユーザが取手部６９を把持して開操作を行うことによって開放され、また取手部６９又はドア１０の周縁部等を把持して閉操作し、ドア１０を外側から押すことにより閉止される。外箱１の前面に設けた投入口１１は、水槽２及び回転ドラム３の開口２０，３０に臨ませてある。
【００２４】
外箱１の前面上部には操作パネル１５が設置されている。操作パネル１５は、運転内容を決定するための複数の操作ボタンと、操作ボタンによって決定された運転内容に対応する文字及び／又は図形を表示する表示部とを有する。操作パネル１５は、外箱１の内部における前下部に設けられている運転制御部１６に接続してあり、操作パネル１５に対する操作情報が運転制御部１６に与えられる。運転制御部１６は、与えられた操作情報に基づいて運転内容を決定し、決定した運転内容に従って洗濯運転及び乾燥運転等を行う。
【００２５】
外箱１の後部上面には、水道への接続端となる給水口１７が設けてあり、給水口１７は、外箱１の内側に設けられた給水弁１８に接続されている。給水弁１８は、複数の給水出口を有する多連形の電磁弁である。給水弁１８の第１給水出口は、給水管１９を介して水槽２の底板近傍の上部周面に接続されている。給水管１９の中途には、銀イオン発生器２２が設けられている。銀イオン発生器２２は、給水管１９を流れる水を滞留させる図示しない水溜め部と、電圧の印加によって銀イオンを水溜め部に滞留している水に溶出する図示しない対向電極とを有する。銀イオン発生器２２、より具体的には対向電極夫々は、運転制御部１６に接続されており、運転制御部１６による対向電極間の電圧印加によって、銀イオンを水溜め部に滞留している水に溶出する。給水弁１８が第１給水出口に切換えられた場合、給水口１７に流入した水は、給水弁１８及び給水管１９を経て水槽２の内部に供給され、洗い用の洗濯水、又は、すすぎ用のすすぎ水として使用される。尚、給水管１９の中途に、銀イオン発生器２２の他に、公知のように洗剤ケースを配置し、給水と共に適量の洗剤が導入されるように構成することができる。
【００２６】
水槽２には、最下位置となる底板近傍の周面に導水管２３が接続されており、導水管２３は、外箱１の内側における前下部に固定支持された筒形のフィルタケース２４に接続されている。フィルタケース２４の内部には、繊維屑等の異物を捕捉するリントフィルタ２５が収容されている。フィルタケース２４の下部は、排水弁２６を介して外箱１の底面に沿って敷設された排水管２７に接続されている。排水弁２６が開放された場合、水槽２内の洗濯水又はすすぎ水は、導水管２３及びフィルタケース２４を経て排水管２７に排出される。水槽２内の洗濯水又はすすぎ水に含まれる異物は、フィルタケース２４内のリントフィルタ２５によって捕捉され、洗濯水又はすすぎ水から除去される。従って、異物が排水管２７を経て下水管に排出される虞がないため、環境負荷の軽減を図ることができる。
【００２７】
また図２には、乾燥風の循環風路が略示してある。循環風路５は、水槽２の下部底面に開設された導出口５０と、水槽２の開口２０の周縁部に開設された導入口５１とを、上行ダクト５２及び前行ダクト５３により連絡して構成されている。上行ダクト５２及び前行ダクト５３夫々は、外箱１の内部における後側及び上側に配してある。上行ダクト５２の下端部及び上端部夫々は、導出口５０及び前行ダクト５３の後端部に連結してある。前行ダクト５３の前端部は、水槽２の前側上部の周縁に開口する導入口５１に接続されている。
【００２８】
前行ダクト５３の中途には、塵埃を捕捉するためのリントフィルタ５４、乾燥風を起風する送風機５５、及び、乾燥風を加熱するヒータ５６が、後側から前側にこの順に介装してある。また、送風機５５及びヒータ５６の間を接続してある前行ダクト５３の側壁には、プラズマクラスタイオン（Plasma Cluster Ion; ＰＣＩ）を発生させて、前行ダクト５３を通流する乾燥風にＰＣＩを含ませるＰＣＩ発生器５７が設けてある。また給水弁１８の第２給水出口は、冷却水管５８を介して上行ダクト５２に沿って下方に延設されており、冷却水管５８の下端は、上行ダクト５２における下部の後壁に接続されている。
【００２９】
図３は、洗濯乾燥機のドアロック機構の構成を示す斜視図である。図４は、ドア１０の背面の構成を示す一部拡大図である。また図５は、ドア１０の背面の構成を示す一部拡大斜視図である。洗濯乾燥機のドア１０は、略円板形をなし、外周面の所定箇所にてヒンジ部（図示は省略する）を介して外箱１に取り付けられ、ユーザにより開閉することが可能な構成とされている。また図１においては図示を省略してあるが、ドア１０にはユーザが開閉動作を行う際に把持するための取手部６９が設けられている。取手部６９は、ドア１０の外周面から洗濯乾燥機の前方へ向けて延出する板体である。取手部６９は、ドア１０の外周面に沿って湾曲した形状をなし、延出端部がドア１０の径方向の外側へ向けて湾曲している。取手部６９は、ドア１０の背面にて枢支されており、ドア１０の開閉方向に枢動する。
【００３０】
ドア１０の背面の周縁部分には、取手部６９の近傍に、ラッチ６０が設けられている。ラッチ６０は、ヒンジ部によるドア１０の外箱１への取付位置に対して略反対側に設けられている。ラッチ６０は、ドア１０の背面にて支持された細長い板状の基部６１と、この基部６１からドア１０の背面方向へ立設された柱部６２と、この柱部６２の端部にてドア１０の径方向の外側へ向けて突設された２つの係合爪部６３とを備えて構成されている。またラッチ６０の基部６１は、２つの丸棒状の軸部６５が両端部に突設されており、この軸部６５にてドア１０に枢支され、ドア１０の径方向に枢動可能とされている。ラッチ６０の一方の軸部６５には、コイルバネ６６が挿通してある。コイルバネ６６は、一端がドア１０の背面に係止され、他端がラッチ６０の基部６１に設けられた係止部６４に係止されている。ラッチ６０は、ドア１０の径方向の外側へ向けて、コイルバネ６６により付勢されている。なおラッチ６０の基部６１、柱部６２、係合爪部６３、係止部６４及び軸部６５は、例えば合成樹脂により一体成型される。またラッチ６０は、ドア１０設けられた取手部６９がユーザの開操作に伴って枢動された場合に、コイルバネ６６の付勢に抗して枢動されるよう構成されている。
【００３１】
また、洗濯乾燥機の外箱１には、投入口１１の内周面の所定箇所に、ドア１０を開閉不可能にロックするためのロック部７０が設けられている。図３のロック部７０は、外箱１に対して取り外し可能なユニットとして構成されたものであり、外箱１から取り外した状態を図示してある。ただしロック部７０のユニットは、洗濯乾燥機の製造工程などにおいて外箱１にねじ止めなどによって固定され、外箱１と一体的に用いられるものであり、ユーザが外箱１から取り外して用いることはない。
【００３２】
ロック部７０は、ロックのための機械機構及び電気機構等を収容する箱部７１を備え、箱部７１には略矩形の開口７２が形成されている。ロック部７０は、ドア１０が閉じられる場合にラッチ６０と開口７２とが対向する位置に設けられる。ドア１０が閉じられた場合、ラッチ６０が開口７２内へ挿入され、開口７２を通して挿入されたラッチ６０がロック部７０と係合することによりドア１０がロックされる。
【００３３】
図６は、ロック部７０の開口７２の構成を示す一部拡大平面図である。また図７は、ロック部７０の開口７２の構成を示す断面図であり、図６のＶＩＩ−ＶＩＩ線による断面である。ロック部７０の開口７２は、略矩形をなしており、箱部７１の内外を連通して形成されている。略矩形の開口７２は、相対する２辺（図６における上側及び下側の辺）に傾斜面７４が設けられ、これ以外の１辺（図６における右側の辺）にガイド面７３が設けられている。このため開口７２は、外側から内側へ、開口面積が徐々に減少する構成である。またロック部７０は、ドア１０が閉じられる際、ラッチ６０の２つの係合爪部６３が開口７２のガイド面７３に接触する位置に設けられる。また開口７２のガイド面７３が設けられた一辺には、略中央に舌片部７５が延出して設けられている。舌片部７５は、ラッチ６０の２つの係合爪部６３の間に収まる大きさであり、ラッチ６０が開口７２へ挿入される際には舌片部７５の両側を係合爪部６３が通過するようにしてある。
【００３４】
開口７２の傾斜面７４は、それぞれ平面としてある。これに対してガイド面７３は、円弧状に湾曲した凹曲面としてある。ガイド面７３は、ドア１０の閉動作時にラッチ６０の係合爪部６３が接触し、開口７２を通して箱部７１の内部へラッチ６０を導くためのものである。係合爪部６３がガイド面７３に接触した状態で、ドア１０が閉じる方向へユーザが力を更に加えた場合、ラッチ６０はコイルバネ６６の付勢に抗してドア１０の内側方向へ枢動される。これによりラッチ６０は開口７２の奥方へ挿入することが可能となる。
【００３５】
ガイド面７３を凹曲面とすることによって、ガイド面７３を平面とした場合と比較して、ドア１０を閉じる際のラッチ６０との接触面積を低減することができる。図８は、比較のための断面図であり、ガイド面７３を平面とした場合の構成を図７に対応付けて図示してある。図８に示すように、ガイド面７３が平面であり、ラッチ６０の係合爪部６３の断面形状が略矩形の場合、係合爪部６３とガイド面７３とが面で接触する。これに対して図７に示すように、ガイド面７３が凹曲面の場合、ラッチ６０の係合爪部６３の角部分がガイド面７３と接触し、係合爪部６３とガイド面７３とが点（又は線）で接触する。よってガイド面７３を凹曲面とすることで、ラッチ６０との接触面積を低減することができ、接触抵抗を低減することができる。
【００３６】
図９〜図１２は、ドア１０のロックを説明するための説明図であり、ドア１０の閉動作に対応してドア１０及びロック部７０等の断面を時系列で図示したものである。図９には、ドア１０が開状態（ラッチ６０がガイド面７３に接触していない状態）の場合を図示してある。この場合、ラッチ６０の係合爪部６３は、コイルバネ６６の付勢によって、ドア１０の径方向の最も外側（図９において右側）の位置にある。
【００３７】
またロック部７０は、箱部７１内をスライド可能に設けられたスライド部材８０を備えている。スライド部材８０は、略直方体形の基部８１に凹所８２が形成されると共に、基部８１の一側面に平板部８３がスライド部材８０のスライド方向へ突設された構成をなしている。基部８１の凹所８２の開口形状は、開口７２と略同じである。ドア１０が開状態の場合、スライド部材８０は、凹所８２を開口７２に臨ませた状態で、箱部７１内に収容されている。スライド部材８０がスライドした場合、凹所８２と開口７２との位置にズレが生じ、開口７２の一部分がスライド部材８０の基部８１によって閉塞される。
【００３８】
図１０には、ドア１０の閉動作においてラッチ６０の係合爪部６３がロック部７０のガイド面７３に初めて接触した状態を図示してある。この場合、ラッチ６０の係合爪部６３は、コイルバネ６６の付勢によって、未だ最も外側の位置にある。その後、ドア１０が閉じる方向へ力が加えられた場合、係合爪部６３がガイド面７３の傾斜に沿って移動し、ラッチ６０はコイルバネ６６の付勢に抗して内側方向へ徐々に枢動される。ドア１０の閉動作に伴ってラッチ６０は、更に内側方向へ枢動されると共に、その先端部分が開口７２を挿通してスライド部材８０の凹所８２内へ至る。
【００３９】
図１１には、ドア１０の閉動作においてラッチ６０の係合爪部６３が開口７２を通過する直前の状態を図示してある。この場合、ラッチ６０の係合爪部６３は、コイルバネ６６の付勢に抗して、ドア１０の径方向の最も内側の位置にある。このとき、ラッチ６０の係合爪部６３より先端の部分は、スライド部材８０の凹所８２内に収まっている。
【００４０】
図１２には、ドア１０の閉動作においてロックが完了した状態を図示してある。ラッチ６０の係合爪部６３が開口７２を通過してスライド部材８０の凹所８２内に収まった場合、係合爪部６３がガイド面７３に接触しない状態となるため、コイルバネ６６の付勢によってラッチ６０が枢動され、係合爪部６３がドア１０の径方向の外側へ移動する。このとき、ラッチ６０の係合爪部６３の移動により凹所８２の内面にコイルバネ６６の付勢力が加わり、スライド部材８０が箱部７１内にてスライドする。スライド部材８０のスライドにより、開口７２と凹所８２との位置にズレが生じ、ラッチ６０の係合爪部６３は箱部７１の内面に係合する。即ち、箱部７１の内面が係合爪部６３に係合する係合部となる。これによりラッチ６０は開口７２から抜脱不可能な状態となり、ドア１０を開くことができない状態となる。
【００４１】
なお図示は省略するが、ドア１０の開動作においては、ユーザにより取手部６９が枢動されることによって、ラッチ６０がコイルバネ６６の付勢に抗して枢動される。これによりラッチ６０の係合爪部６３が凹所８２内に収まったスライド部材８０は、凹所８２が開口７２に臨む位置まで、箱部７１内にてスライドする。ラッチ６０の係合爪部６３は、箱部７１の内面との係合が解除され、凹所８２及び開口７２から抜脱可能となるため、ドア１０を開くことができる。
【００４２】
また図示は省略するが、ロック部７０は、洗濯乾燥機の運転制御部１６に電気的に接続されたアクチュエータなどを備えており、このアクチュエータの作動によってスライド部材８０のスライドを（図１２に示した状態で）規制することができる。これにより洗濯乾燥機は、例えば洗濯運転及び乾燥運転等を行っている際に、ユーザによってドア１０が開かれることを防止できる。
【００４３】
以上の構成の実施の形態に係る洗濯乾燥機は、ラッチ６０が設けられたドア１０と、ラッチ６０が挿入される開口７２が形成され、開口７２に挿入されたラッチ６０の係合爪部６３が内面に係合する箱部７１を有するロック部７０とを備えるドアロック機構が搭載された構成である。開口７２の周縁部分には、ラッチ６０を開口７２へ導くガイド面７３を設け、このガイド面７３を曲面とする。これらの構成により、ラッチ６０の係合爪部６３とガイド面７３との接触面積を低減することができ、ドア１０を閉じる際に生じる接触抵抗を低減することができる。よって、ユーザによるドア１０の閉動作時に必要な力を軽減でき、ユーザはドア１０の閉動作を円滑に行うことができる。
【００４４】
また、ガイド面７３は、ラッチ６０の開口７２への挿入方向に対して傾斜して設けることにより、ラッチ６０の開口７２への挿入を容易化することができる。またドア１０のラッチ６０は、開口７２の挿入方向に対して交差する方向へ枢動可能に設けられ、挿入方向へ立設された柱部６２に、挿入方向に交差する方向へ係合爪部６３を突設した構成とし、コイルバネ６６により係合爪部６３の突出方向へ付勢する。これにより、開口７２へ挿入されたラッチ６０が、ロック部７０の箱体１の内面（係合部）に係合して、ドア１０を開閉不可能にロックすることができる。また、ドア１０を開く際にコイルバネ６６の付勢に抗してラッチ６０を枢動させる取手部６９を設けることにより、ユーザが容易にドア１０のロックを解除して開くことができる。
【００４５】
なお、本実施の形態においては、ドアロック機構を洗濯乾燥機（洗濯機）に搭載した構成について説明を行ったが、これに限るものではない。例えば電子レンジ、冷蔵庫又は録画再生装置等のドアを有する電気機器に同様の構成のドアロック機構を搭載してもよく、電気機器以外の例えば食器棚又は本棚等にドアロック機構を搭載してもよい。また、本実施の形態において図示したラッチ６０の形状及び開口７２の形状等は、一例であって、これに限るものではない。
【００４６】
（変形例）
図１３は、変形例に係る洗濯乾燥機の係合爪部１６３の構成を示す断面図である。変形例に係る洗濯乾燥機のロック部７０の構成は、上述の実施の形態に係る洗濯乾燥機のロック部７０と同じ構成であり、開口７２のガイド面７３を凹曲面としてある。これに対して変形例に係る洗濯乾燥機のラッチ６０の係合爪部１６３は、その先端部分（ガイド面７３に接触する部分）を曲面としてあり、この点で上述の実施の形態に係る洗濯乾燥機の構成と異なる。なお変形例に係る係合爪部１６３は、先端部分を円弧状の凸曲面としてあり、その曲率はガイド面７３の曲率より大きい。これにより、係合爪部１６３とガイド面７３との接触面積をより確実に低減することができ、ドア１０の閉動作を円滑に行うことができる。
【符号の説明】
【００４７】
１  外箱
２  水槽
３  回転ドラム（洗濯槽）
１０  ドア
１１  投入口
１２  ベローズ
１６  運転制御部
６０  ラッチ
６１  基部
６２  柱部
６３  係合爪部（係合突部）
６４  係止部
６５  軸部
６６  コイルバネ（付勢手段）
６９  取手部
７０  ロック部（固定体）
７１  箱部（係合部）
７２  開口
７３  ガイド面
８０  スライド部材
８１  基部
８２  凹所
１６３  係合爪部
【図１】
2014050468.tif 000003
【図２】
2014050468.tif 000004
【図３】
2014050468.tif 000005
【図４】
2014050468.tif 000006
【図５】
2014050468.tif 000007
【図６】
2014050468.tif 000008
【図７】
2014050468.tif 000009
【図８】
2014050468.tif 000010
【図９】
2014050468.tif 000011
【図１０】
2014050468.tif 000012
【図１１】
2014050468.tif 000013
【図１２】
2014050468.tif 000014
【図１３】
2014050468.tif 000015